(57)【要約】  【課題】  スライド扉を閉鎖した際のガタツキを防止し、運転時の静音性を高めることのできる洗濯機を提供すること。  【解決手段】  スライド扉４に設けられたリブ１０（第１の接触部の一例）と、前記スライド扉４の閉鎖時に前記リブ１０に接触して前記スライド扉４のスライド方向とは略垂直な方向に前記スライド扉４を押圧するリブ押え１１（第２の接触部の一例）と、を備えて構成される。これにより、前記スライド扉４の閉鎖時には、前記リブ１０と前記リブ押さえ１１との接触により、前記スライド扉４が前記スライド扉４のスライド方向とは略垂直な方向に押圧された状態が保持されるため、前記スライド扉４のガタツキが防止される。【選択図】  図４
2007044322.tif 000002
【特許請求の範囲】
【請求項１】
所定の方向にスライドして開閉するスライド扉を備えてなる洗濯機であって、
前記スライド扉に設けられた第１の接触部と、
前記スライド扉の閉鎖時に前記第１の接触部に接触して前記スライド扉のスライド方向とは略垂直な方向に前記スライド扉を押圧する第２の接触部と、
を備えてなることを特徴とする洗濯機。
【請求項２】
前記第２の接触部が、前記スライド扉をスライドさせるためのスライド溝に設けられてなる請求項１に記載の洗濯機。
【請求項３】
前記第１の接触部及び／又は前記第２の接触部が、弾性部材からなる請求項１又は請求項２のいずれか１項に記載の洗濯機。
【発明の詳細な説明】
【技術分野】
【０００１】
本発明は、洗濯物の出し入れを行う開口部を開閉可能とするスライド扉が設けられた洗濯機に関する。
【背景技術】
【０００２】
従来より、洗濯物の出し入れを行う開口部の開口面に対して略平行の方向に扉を移動させて前記開口部の開閉を行うスライド機構が設けられたドラム式の洗濯機が提案されている。このスライド機構による扉開閉は、扉を前記開口部の開口面に対して略垂直をなす面上に描かれる円弧状の軌跡を通って回動して前記開口部の開閉を行うヒンジ機構による扉開閉とは異なり、前記開口部の開閉時に前記扉が洗濯機の前方に突出しないため、狭いスペースでも配置して使用することが可能な洗濯機を提供できる。このような洗濯機は、例えば、特許文献１に開示されている。
【０００３】
ここで、スライド機構によって洗濯物の出し入れを行う開口部を開閉可能としたスライド扉が設けられた従来の洗濯機Ｙについて、図５及び図６を用いて説明する。図５（ａ）に従来の洗濯機Ｙのスライド扉の一部開放状態における要部縦断面図、図５（ｂ）に図５（ａ）における要部正面図、図６（ａ）にスライド扉の閉鎖状態における要部縦断面図、図６（ｂ）に図６（ａ）における要部正面図を示す。
【０００４】
従来の洗濯機Ｙは、外箱１０１と、この外箱１０１内に配置された水槽１０２と、この水槽１０２内に配置され、洗濯物を収容する回転ドラム１０３と、前記外箱１の前面に形成された開口部１０１ａを開閉する透明な非屈曲性のスライド扉１０４と、前記水槽１０２に形成された開口部１０２ａを開閉する透明なヒンジ扉１０５と、操作キーや表示部を有する操作パネル１０７と、を備えている。なお、前記ヒンジ扉１０５は、ヒンジ機構によって前記水槽の開口部１０２ａの開口面に対して略垂直をなす面上に描かれる円弧状の軌跡を通って回動する回動扉であって、前記ヒンジ扉１０５の閉鎖により前記水槽１０２の開口部１０２ａは水密に封止される。
【０００５】
前記外箱１０１は、その前面が縦方向に略円弧形状を有しており、この前面に開口部１０１ａが設けられている。前記外箱１０１の開口部１０１ａの左右端部には、前記外箱１０１の前面の略円弧形状に沿うようにスライド溝１０８が設けられている。前記外箱１０１の開口部１０１ａには、その開口部１０１ａを開閉可能とするスライド扉１０４が設けられている。前記スライド扉１０４は、その縦方向の断面が前記外箱１０１の前面と同様の略円弧形状に形成されるとともに、その左右端部にスライドコマ１０９を有している。前記スライドコマ１０９は、前記外箱１０１の前面内部に設けられたスライド溝１０８に嵌め込まれており、前記スライドコマ１０９が前記スライド溝１０８に沿って上下方向にスライドすることにより前記スライド扉１０４も上下方向にスライドし、前記開口部１０１ａを開閉させる。なお、前記スライド扉１０４の開閉は、手動或いは自動で行われる。また、前記スライド扉１０４をスムーズにスライドさせるために、前記スライド溝１０８と前記スライドコマ１０９との間には、スライド方向に対して略垂直方向に間隙Ｄ（図６参照）が形成される。
【０００６】
このように構成された前記洗濯機Ｙでは、洗濯物を開口部１０１ａ及び開口部１０２ａを介して回転ドラム１０３内に投入した後、前記ヒンジ扉１０５を回動させて前記水槽１０２の開口部１０２ａを封止する。そして、図５及び図６に示すように、前記スライドコマ１０９を前記スライド溝１０８に沿って上方向にスライドさせることにより、前記スライド扉１０４を上方向にスライドさせて前記開口部１０１ａを閉鎖した後、前記洗濯機Ｙの運転が開始される。
【特許文献１】特開２００５−５８７２５号公報
【発明の開示】
【発明が解決しようとする課題】
【０００７】
しかしながら、前記洗濯機Ｙでは、前記スライド扉１０４のスムーズな開閉のために、前記スライド溝１０８と前記スライドコマ１０９との間に、前記スライド扉４のスライド方向に対して略垂直方向に間隙Ｄが形成されているので、前記スライド扉１０４が閉鎖されている状態においても、前記スライド扉４は、前記スライドコマ１０９の前記スライド溝１０８内での前記間隔Ｄの範囲での移動に伴うガタツキを生じる。そのため、この状態にて前記洗濯機Ｙを運転させると、その運転時に発生する外箱１０１の振動によって前記スライドコマ１０９と前記スライド溝１０８との間で衝突が起こり、騒音が発生してしまう。
【０００８】
従って、本発明は前記事情に鑑みてなされたものであり、その目的とするところは、スライド扉を閉鎖した際のガタツキを防止し、運転時の静音性を高めることのできる洗濯機を提供することにある。
【課題を解決するための手段】
【０００９】
前記目的を達成するために本発明は、所定の方向にスライドして開閉するスライド扉を備えてなる洗濯機に適用されるものであって、前記スライド扉に設けられた第１の接触部と、前記スライド扉の閉鎖時に前記第１の接触部に接触して前記スライド扉のスライド方向とは略垂直な方向に前記スライド扉を押圧する第２の接触部と、を備えてなることを特徴とする洗濯機として構成される。具体的に、前記第２の接触部は、前記スライド扉をスライドさせるためのスライド溝に設けられることが一例として考えられる。
【００１０】
これにより、前記スライド扉の閉鎖時には、前記第１の接触部と前記第２の接触部との接触により、前記スライド扉が前記スライド扉のスライド方向とは略垂直な方向に押圧された状態が保持されるため、前記スライド扉のガタツキが防止される。したがって、前記洗濯機の運転時の振動による前記スライド扉と前記スライド溝との衝突に起因して従来発生していた騒音を防止することができる。
【００１１】
また、前記第１の接触部や前記第２の接触部に弾性部材を用いることにより、前記第１の接触部と前記第２の接触部との間隙の許容寸法範囲が拡大される。例えば、前記第１の接触部や前記第２の接触部を大きめに設計しておくことにより、これらが多少磨耗しても、前記第１の接触部と前記第２の接触部との接触による前記スライド扉のガタツキ防止は実現される。
【発明の効果】
【００１２】
本発明によれば、前記スライド扉の閉鎖時には、前記第１の接触部と前記第２の接触部との接触により、前記スライド扉が前記スライド扉のスライド方向とは略垂直な方向に押圧された状態に保持されるため、前記スライド扉のガタツキが防止される。したがって、前記洗濯機の運転時の振動による前記スライド扉と前記スライド溝との衝突に起因して発生する騒音を防止することができる。
【発明を実施するための最良の形態】
【００１３】
以下添付図面を参照しながら、本発明の実施の形態について説明し、本発明の理解に供する。尚、以下の実施の形態は、本発明を具体化した一例であって、本発明の技術的範囲を限定する性格のものではない。
【００１４】
図１に本発明の実施の形態に係る洗濯機Ｘのスライド扉の閉鎖状態の概略縦断面図、図２はスライド扉の開放状態の概略縦断面図、図３（ａ）にスライド扉の一部開放状態における要部縦断面図、図３（ｂ）に図３（ａ）における要部正面図、図４（ａ）にスライド扉の閉鎖状態における要部縦断面図、図４（ｂ）に図４（ａ）における要部正面図を示す。
【００１５】
本発明の実施の形態に係る洗濯機Ｘは、図１及び図２に示すように、外箱１と、この外箱１内に配置された水槽２と、この水槽２内に配置され、洗濯物を収容する回転ドラム３と、前記外箱１の前面に形成された開口部１ａを開閉する透明な非屈曲性のスライド扉４と、前記水槽２に形成された開口部２ａを開閉する透明なヒンジ扉５と、前記回転ドラム３に収容された洗濯物を乾燥させるための乾燥ユニット６と、操作キーや表示部を有する操作パネル７と、を備えている。なお、前記ヒンジ扉５は、ヒンジ機構によって前記水槽の開口部２ａの開口面に対して略垂直をなす面上に描かれる円弧状の軌跡を通って回動する回動扉であって、前記ヒンジ扉５の閉鎖により前記水槽２の開口部２ａは水密に封止される。
【００１６】
前記外箱１は、その前面が縦方向に略円弧形状を有しており、この前面に開口部１ａが設けられている。図３及び図４に示すように、前記外箱１の開口部１ａの左右端部には、前記外箱１の前面の略円弧形状に沿うようにスライド溝８が設けられている。前記外箱１の開口部１ａには、その開口部１ａを開閉可能とするスライド扉４が設けられている。前記スライド扉４は、前記外箱１の前面と同様の略円弧形状に形成されるとともに、その左右端部にスライドコマ９を有している。前記スライドコマ９は、前記外箱１の前面内部に設けられたスライド溝８に嵌め込まれており、前記スライドコマ９が前記スライド溝８に沿って上下方向にスライドすることにより前記スライド扉４も上下方向にスライドし、前記開口部１ａを開閉させる。なお、前記スライド扉４の開閉は、手動或いは自動で行われる。また、前記スライド扉４をスムーズにスライドさせるために、前記スライド溝８と前記スライドコマ９との間には、スライド方向に対して略垂直方向に間隙ｄ（図４参照）が形成される。
【００１７】
前記スライド扉４のスライドコマ９には、図３及び図４に示すように、その前方に向かって突出するリブ１０が設けられている。前記リブ１０は、弾性を有する弾性部材からなり、該スライド扉４の閉鎖時にはこのリブ１０の前方の面が後述するリブ押え１１の後方の面に当接するように配される。ここで、リブ１０は前記第１の接触部の一例である。
【００１８】
また、前記外箱１のスライド溝８の上端部には、リブ押え１１がネジ１２によって取り付けられている。前記リブ押え１１は、弾性を有する弾性部材からなり、前記スライド扉４の閉鎖時にはこのリブ押え１１の後方の面が前記リブ１０の前方の面に当接して、前記スライド扉４を前記スライド扉４のスライド方向に対して略垂直な方向に押圧し、前記スライド扉４が前記水槽２に近づく方向へと移動させる。ここで、前記スライド扉４のスライド方向に対して略垂直な方向への前記スライド扉４の移動距離が、前記間隙ｄと等距離となるように前記リブ１０及び前記リブ押え１１が設定される。なお、この前記リブ押え１１の配設位置は、前記スライド溝８の上端部に限定されるものではなく、前記洗濯機Ｘにおいて、前記スライド扉４の閉鎖時に前記リブ１０に当接して前記スライド扉４をスライド方向に対して略垂直な方向に押圧し得る位置であればよい。ここで、リブ押え１１は前記第２の接触部の一例である。
【００１９】
このように、本発明の実施の形態に係る前記洗濯機Ｘでは、図３に示す前記スライド扉４の一部開放状態から、前記スライド扉４が前記スライド溝８に沿って上方向にスライドして、図４に示す前記スライド扉４の閉鎖状態に移行すると、前記スライド扉４のリブ１０が前記スライド溝８のリブ押え１１に当接して、前記スライド扉４を前記水槽に近づく方向へと移動させる。ここで、前記スライド扉４のスライド方向に対して略垂直な方向への前記スライド扉４の移動距離が、前記間隙ｄと等距離となるように設定されているので、前記スライド扉４を閉鎖した際には、前記スライドコマ９の前記水槽２側の面と前記スライド溝８の後方側の面、及び、前記リブ１０の前方の面と前記リブ押え１１の後方の面とが当接することとなる。すなわち、前記スライド扉４の閉鎖時には、前記スライド扉４のスライドコマ９は、前記スライド溝８の後方側の面と前記リブ押え１１の後方の面とによって挟み込まれた状態に保持されるため、前記スライド扉４のガタツキは防止される。したがって、前記洗濯機Ｘの運転時に、その運転時の振動によって前記スライド扉４のスライドコマ９と前記スライド溝８との衝突が発生することがなく騒音の発生が防止される。
【００２０】
また、前記リブ１０及び前記リブ押え１１は、弾性を有しているため、前記スライド扉４のスライド方向に対して略垂直な方向への前記リブ１０と前記リブ押え１１による前記スライド扉４の移動距離を前記間隙ｄよりも大きくなるように設計しても、前記リブ１０と前記リブ押え１１の弾性によって前記移動距離を吸収できる。このようにすると、開閉動作の繰り返しにより、前記リブ１０やリブ押え１１の磨耗が生じたとしても、前記リブ１０と前記リブ押え１１は相互に接触して前記スライド扉４のガタツキを防止することが可能である。さらに、この場合、前記リブ１０や前記リブ押え１１が弾性変形を伴って接触するため、前記スライド扉４が、前記リブ押え１１によって十分に押圧され、前記スライド扉４のガタツキがより確実に防止される。なお、前記リブ１０及び前記リブ押え１１の形状は、図３及び図４に示すものに限られず、任意に設計変更が可能である。また、前記スライド扉４のスライド方向は、上下方向に限られず、例えば左右方向にスライドされるものであってもかまわない。
【００２１】
なお、本発明の実施の形態においては、上下方向にスライド可能なスライド扉４を備えてなるドラム式の洗濯機について説明を行ったが、ドラム式の洗濯機への適用に限定されるものではなく、あらゆるタイプの洗濯機に適用可能であることは言うまでもない。
【図面の簡単な説明】
【００２２】
【図１】本発明の実施の形態に係る洗濯機Ｘのスライド扉閉時の概略縦断面図。
【図２】本発明の実施の形態に係る洗濯機Ｘのスライド扉開時の概略縦断面図。
【図３】（ａ）は本発明の実施の形態に係る洗濯機Ｘのスライド扉の一部開放状態における要部縦断面図、（ｂ）は（ａ）における要部正面図。
【図４】（ａ）は本発明の実施の形態に係る洗濯機Ｘのスライド扉の閉鎖状態における要部縦断面図、（ｂ）は（ａ）における要部正面図。
【図５】（ａ）は従来の洗濯機Ｙのスライド扉の一部開放状態における要部縦断面図、（ｂ）は（ａ）における要部正面図。
【図６】（ａ）は従来の洗濯機Ｙのスライド扉の閉鎖状態における要部縦断面図、（ｂ）は（ａ）における要部正面図。
【符号の説明】
【００２３】
１  外箱
１ａ  （外箱の）開口部
２  水槽
２ａ  （水槽の）開口部
３  回転ドラム
４  スライド扉
５  ヒンジ扉
８  スライド溝
９  スライドコマ
１０  リブ（第１の接触部の一例）
１１  リブ押え（第２の接触部の一例）
ｄ  間隙
Ｘ、Ｙ  洗濯機
【図１】
2007044322.tif 000003
【図２】
2007044322.tif 000004
【図３】
2007044322.tif 000005
【図４】
2007044322.tif 000006
【図５】
2007044322.tif 000007
【図６】
2007044322.tif 000008